(57)【要約】      （修正有）【課題】アダプタ・プラグハウジングおよびアダプタ・ソケットハウジングにおけるプラグ部分およびソケット部分の係止の構成が最適化されているようにする。【解決手段】少なくとも１つの係止フック装置１２が、組付け室１１ａ内に係止可能であるように形成されている、アダプタ・プラグハウジング１またはアダプタ・ソケットハウジングである。アダプタ・プラグハウジング１またはアダプタ・ソケットハウジングにおいて、係止フック装置１２がばねプレート１３として形成されており、ばねプレート１３が少なくとも１つのばね弾性的な係止フックを有しており、組付け室１１ａ内に固定、特に係止されていることを特徴とするアダプタ・プラグハウジング１またはアダプタ・ソケットハウジング。【選択図】図１
2007294456.tif 000002
【特許請求の範囲】
【請求項１】
一部分または複数部分から成るプラグ部分（３４ａ〜ｄ；３５，３６，３８）を受容するためのアダプタ・プラグハウジング（１）であって、プラグ部分（３４ａ〜ｄ；３５，３６，３８）を係止するための少なくとも１つの係止フック（２２，２２′，２３，２３′）を備えアダプタ・プラグハウジング（１）の組付け室（１１ａ）内に配置され内部に位置する少なくとも１つの係止フック装置（１２）が設けられている形式のものにおいて、係止フック装置（１２）が、別個の、組付け室（１１ａ）内に取付け可能なユニットとして形成されていることを特徴とするアダプタ・プラグハウジング。
【請求項２】
一部分または複数部分から成るソケット部分（２１ａ〜ｄ；３９）を受容するためのアダプタ・ソケットハウジング（２）であって、ソケット部分（２１ａ〜ｄ；３９）を係止するための少なくとも１つの係止フックを備えアダプタ・ソケットハウジング（２）の組付け室（１１ｂ）内に配置され内部に位置する少なくとも１つの係止フック装置（１２）が設けられている形式のものにおいて、係止フック装置（１２）が、別個の、組付け室（１１ｂ）内に取付け可能なユニットとして形成されていることを特徴とするアダプタ・ソケットハウジング。
【請求項３】
少なくとも１つの係止フック装置（１２）が、組付け室（１１ａ，ｂ）内に係止可能であるように形成されている、請求項１記載のアダプタ・プラグハウジングまたはアダプタ・ソケットハウジング。
【請求項４】
アダプタ・プラグハウジングまたはアダプタ・ソケットハウジングにおいて、係止フック装置がばねプレート（１３，１３′，１４，２４，２４′）として形成されており、ばねプレート（１３，１３′，１４，２４，２４′）が少なくとも１つのばね弾性的な係止フック（２２，２３；２２′，２３′）を有しており、組付け室（１１ａ，ｂ）内に固定、特に係止されていることを特徴とするアダプタ・プラグハウジングまたはアダプタ・ソケットハウジング。
【請求項５】
アダプタ・プラグハウジングまたはアダプタ・ソケットハウジングにおいて、少なくとも１つのばねプレート（２４，２４′）がプラスチックから成ることを特徴とするアダプタ・プラグハウジングまたはアダプタ・ソケットハウジング。
【請求項６】
アダプタ・プラグハウジングまたはアダプタ・ソケットハウジングにおいて、少なくとも１つのばねプレート（１３，１３′，１４）が金属から成ることを特徴とするアダプタ・プラグハウジングまたはアダプタ・ソケットハウジング。
【請求項７】
少なくとも１つのばねプレート（１３，１３′，１４）が受容穴（１５）を有しており、受容穴（１５）が、アダプタ・プラグハウジング（１）またはアダプタ・ソケットハウジング（２）の係止突起（１８）にばねプレート（１３，１３′，１４）を係止するために役立つ、請求項１から６までのいずれか１項記載のアダプタ・プラグハウジングまたはアダプタ・ソケットハウジング。
【請求項８】
アダプタ・プラグハウジング（１）またはアダプタ・ソケットハウジング（２）が摺動エッジまたはスリット（２０）を有しており、摺動エッジまたはスリット（２０）内に、ばねプレート（１３，１３′，１４）の縁部領域が、アダプタハウジングに設けられた係止突起（１８）が受容穴（１５）に係入するまで挿入可能である、請求項６または７記載のアダプタ・プラグハウジングまたはアダプタ・ソケットハウジング。
【請求項９】
ばねプレート（１３，１３′，１４）が、斜めにされたエッジ（１９）を有している、請求項６から８までのいずれか１項記載のアダプタ・プラグハウジングまたはアダプタ・ソケットハウジング。
【請求項１０】
ばねプレート（１３，１３′，１４）が打抜き／曲げ部分として形成されている、請求項６から８までのいずれか１項記載のアダプタ・プラグハウジングまたはアダプタ・ソケットハウジング。
【請求項１１】
アダプタ・プラグハウジングまたはアダプタ・ソケットハウジング、特に請求項１から１０までのいずれか１項記載のアダプタ・プラグハウジングまたはアダプタ・ソケットハウジングにおいて、係止フック（２２，２２′，２３，２３′，２８，２８′）が、種々異なるプラグインサート（３４，３５，３６，３８）またはソケットインサート（２１，３９）の取付け／取外しを許可するように構成されていることを特徴とするアダプタ・プラグハウジングまたはアダプタ・ソケットハウジング。
【請求項１２】
ばねプレート（１３，１３′，１４）がそれぞれ組付け室（１１ａ，ｂ）の切欠き（３７）内に装入可能、特に押込み可能である、請求項１から１１までのいずれか１項記載のアダプタ・プラグハウジングまたはアダプタ・ソケットハウジング。
【請求項１３】
アダプタ・プラグハウジング（１）内に１つの係止フック装置（１２）が形成されており、アダプタ・ソケットハウジング内に２つの係止フック装置（１２）が形成されている、請求項１から１２までのいずれか１項記載のアダプタ・プラグハウジングまたはアダプタ・ソケットハウジング。
【請求項１４】
係止フック装置（１２）が、種々異なるプラグインサート（３４，３５，３６，３８）またはソケットインサート（２１，３９）の取付け／取外しを許可するように形成されている、請求項１から１３までのいずれか１項記載のアダプタ・プラグハウジングまたはアダプタ・ソケットハウジング。
【請求項１５】
アダプタ・プラグハウジング（１）またはアダプタ・ソケットハウジング（２）が金属の材料から成る、請求項１から１４までのいずれか１項記載のアダプタ・プラグハウジングまたはアダプタ・ソケットハウジング。
【発明の詳細な説明】
【技術分野】
【０００１】
本発明は、一部分または複数部分から成るプラグ部分を受容するためのアダプタ・プラグハウジング（Ａｄａｐｔｅｒ−Ｓｔｅｃｋｅｒｇｅｈａｅｕｓｅ）であって、プラグ部分を係止するための少なくとも１つの係止フックを備えアダプタ・プラグハウジングの組付け室内に配置され内部に位置する少なくとも１つの係止フック装置が設けられている形式のものおよび一部分または複数部分から成るソケット部分を受容するためのアダプタ・ソケットハウジング（Ａｄａｐｔｅｒ−Ｂｕｃｈｓｅｎｇｅｈａｅｕｓｅ）であって、ソケット部分を係止するための少なくとも１つの係止フックを備えアダプタ・ソケットハウジングの組付け室内に配置され内部に位置する少なくとも１つの係止フック装置が設けられている形式のものに関する。
【背景技術】
【０００２】
上位概念を成す形式のアダプタハウジング、つまりアダプタ・プラグハウジングおよびアダプタ・ソケットハウジングは、その中に装入されるプラグ部分またはソケット部分の、粗野な環境、例えば生産設備または車両内での使用を、プラグ部分の保護等級に比してより高い保護等級、例えばＩＰ６５またはＩＰ６７の達成により可能にする。
【０００３】
電話プラグのための第１のこの種の装置は、ＵＳ４３４９２３６（ベル電話研究所）から公知である。
【０００４】
環境分類（Ｕｍｇｅｂｕｎｇｓｋｌａｓｓｉｆｉｋａｔｉｏｎ）からのより高い要求の達成のアイデアは、例えば上位概念を成すＵＳ６４７５００９Ｂ２およびＵＳ６５９５７９１Ｂ２から発展もしくは規定された。これらの文献には、それぞれＲＪ４５プラグもしくはＲＪ４５ソケットを受容するために適した種々異なるアダプタ・プラグハウジングおよびアダプタ・ソケットハウジングが開示される。
【特許文献１】ＵＳ４３４９２３６
【特許文献２】ＵＳ６４７５００９Ｂ２
【特許文献３】ＵＳ６５９５７９１Ｂ２
【発明の開示】
【発明が解決しようとする課題】
【０００５】
本発明の課題は、アダプタ・プラグハウジングおよびアダプタ・ソケットハウジングにおけるプラグ部分およびソケット部分の係止の構成が最適化されている、アダプタ・プラグハウジングおよびアダプタ・ソケットハウジングの発展された構成を提供することである。
【０００６】
有利には、アダプタハウジングはさらに、簡単な構造的な手段により、高い機械的かつ化学的な負荷および要求に耐え、それにもかかわらず種々異なるプラグ部分およびソケット部分の受容のために適しているべきである。
【課題を解決するための手段】
【０００７】
上記課題を解決するために本発明の構成では、係止フック装置が、別個の、組付け室内に取付け可能なユニットとして形成されているようにした。
【０００８】
有利な構成は従属請求項に見て取れる。
【発明の効果】
【０００９】
提供されるアダプタ・ソケット部分およびアダプタ・プラグ部分はプラグ部分またはソケット部分の使用を粗野な環境でも可能にする。プラグ部分またはソケット部分の概念は限定的に解されるべきではない。プラグ部分またはソケット部分には、光導波エレメント、種々異なる構造形式の電気的なピンコンタクトおよび／またはソケットコンタクト、または例えばニューマチックな差込み接続のためのエレメントが形成されていることができる。
【００１０】
その際、アダプタ・プラグ部分およびアダプタ・ソケット部分は、丈夫な、簡単に製作可能な少なくとも１つの別個のロックフック（係止フック装置とも呼ぶ）により特徴付けられている。
【００１１】
そのようにセパレートに形成されたロックフックは、ＵＳ６５９５７９１Ｂ２の図１０に示された、一部分構成に一体成形されたロックフックに対して、より最適に使用目的に適合可能である。それというのも、そのようなロックフックは例えば、アダプタハウジング自体とは別の材料、例えば特に合金またはプラスチックまたはこれらの材料の混合形から成ることもできるからである。さらに形状構成に関して、一部分構成の一体成形時に比べて制約が少ない。特に、この係止フックはことによるとプラスチックハウジングには適していても、金属ハウジングには適していない。それというのも、必要とされるばね特性が例えば亜鉛ダイカスト法で最適には達成され得ないからである。
【００１２】
有利には、アダプタ・ソケットハウジングがそれどころか２つの別個の係止フック装置を有していることもできる。このことは特に、アダプタハウジング内でのソケット部分の特に堅固かつ確実な座りを可能にする。
【００１３】
有利なバリエーションによれば、組立ては簡単かつ迅速に実現可能である。プレートとしての構成により、安価な打抜き／曲げ部分の製作のための、機能的に有効で省スペースな可能性が生じる。
【００１４】
以下に本発明について図面を参照しながら実施例をもとに詳説する。その際、本発明のその他の利点も明らかにする。
【発明を実施するための最良の形態】
【００１５】
図１〜図２０はそれぞれアダプタ・プラグハウジング１またはアダプタ・ソケットハウジング２を示す。
【００１６】
アダプタ・プラグハウジング１に関して、図１以下の構造は有利には、背景技術から公知の、ＲＪ４５プラグにおけるロックエレメントの「非アクティブ化（Ｄｅａｋｔｉｖｉｅｒｕｎｇ）」のためのアンダカットを省略する。アンダカットは冒頭で挙げた背景技術に属する文献から公知である。
【００１７】
バヨネット継手のピン３はロックスリーブ２５の内周面に形成されている。ロックスリーブ２５は本来のアダプタ・プラグハウジング１上に回動可能に案内されている。
【００１８】
シールエレメント／シールリング２７ならびに場合による別のシールエレメントは、高い保護等級での構成を提供する。アダプタ・プラグハウジング１には、金属またはプラスチックから成る屈曲防止ブッシング３０を場合により備えた保護エレメント２９が接続されていることができる。保護エレメント２９は例えばプラグハウジング１上に螺合されるか、またはプラグハウジング１に係止される。
【００１９】
各アダプタ・プラグハウジング１内には、特に「ＲＪ４５スタンダード（ただしこれに限定されるものではない）」および別の構成の、補助フレーム３５，３６，３８，３９（図１１〜図１４および図１８参照）を備えたワンピースまたはマルチピースのプラグ部分３４ａ〜ｄが装入可能である。このことについては以下にさらに詳説する。
【００２０】
各アダプタ・ソケットハウジング２内にはそれに対して、特に「ＲＪ４５スタンダード（ただしこれに限定されるものではない）」のワンピースまたはマルチピースのソケット部分２１ａ〜ｄ，３９（図３ならびに図１７〜図１９参照）が装入可能である。このことについてはやはり以下にさらに詳説する。
【００２１】
それぞれの組付けスペース１１ａ，ｂの内部に位置する１つ（アダプタ・プラグハウジング１）または有利にはそれどころか２つ（アダプタ・ソケットハウジング２）の係止フック装置（Ｒａｓｔｈａｋｅｎａｎｏｒｄｎｕｎｇ）１２はそれぞれ、種々異なるプラグ部分およびソケット部分、例えば：
−ＲＪ４５（図３、符号２１ａ；図１１、符号３４ａ；図１２、符号３４ｂ；図１７、符号２１ｂ）；
−ＬＣ−Ｄｕｐｌｅｘ（図１３、補助フレーム３５を備えた符号３４ｃ；図１８、補助フレーム３９を備えた符号２１ｃ）；
−ＳＣ−ＲＪの間隔を置いた２ＳＣ（図１４、補助フレーム３６を備えた符号３４ｄ；図１９、符号２１ｄ）；
の取付け／取外しを許可する。
【００２２】
プラグ部分およびソケット部分の別の構成も可能である（ここでは図示しないが、例えばＦｉｒｅｗｉｒｅ、ＵＳＢ、ＫＯＡＸ、センサ／アクチュエータ・コンタクト（Ｓｅｎｓｏｒ−／Ａｋｔｏｒ−Ｋｏｎｔａｋｔｅ）、パワー・コンタクト（Ｐｏｗｅｒ−Ｋｏｎｔａｋｔｅ）等）。
【００２３】
ＵＳ６４７５００９Ｂ２およびＵＳ６５９５７９１Ｂ１と同様に、アダプタ・プラグハウジング１とアダプタ・ソケットハウジング２とはバヨネット結合の形式でピン３および受容・係止溝４により連結可能である（その際、それぞれ前もって、互いに連結したいプラグ部分３４とソケット部分２１とは場合により補助フレーム３５，３６，３８，３９と共にアダプタハウジング内に装入される）。
【００２４】
図３〜図７および図１５以下のアダプタ・ソケットハウジング２はフランジハウジングとして形成されている。すなわち、アダプタ・ソケットハウジング２は固定穴６を備えたフランジ区分５を有している。固定穴６は例えばねじにより、フランジハウジングを例えば通し案内部が実現されるべき壁に固定するために貫通され得る。
【００２５】
フランジ区分５には、ここでは外側で円筒形のハウジング区分７が接続する。ハウジング区分７は、フランジ区分に接続する領域に雄ねじ山８を有しており、次いでバヨネット継手の係止溝４を備えた区分を有している。
【００２６】
雄ねじ山８を備えた区分には（図４および図５も参照）、ナット９および場合によりシールリング１０が取付け可能であり、壁の通し案内部における固定を許可する。
【００２７】
そのようにして有利な多機能部分が提供される。多機能部分は択一的には後方／内方から壁を通して差し通され、中央螺合部により固定されるか、または前方／外方から壁上に載設され、４つのねじにより固定されることができ、その結果、両組付け状況は１つの部分でカバーされることができる。
【００２８】
内方に向かって、アダプタ・ソケットハウジング２は、実質的に横断面で見て垂直な、ソケット部分２１ａを受容するための受容室／組付け室１１ｂを有している（図３ａ）。
【００２９】
アダプタ・プラグハウジング１内でのプラグ部分３４ａ〜ｄの係止ならびにアダプタ・ソケットハウジング２内でのソケット部分２１ａ〜ｄの係止は、少なくとも１つ（アダプタ・プラグハウジング１）または有利には２つ（アダプタ・ソケットハウジング２；つまりここでは図に示されている）または複数の係止フックを備えた係止フック装置１２により実施される。
【００３０】
図１および図２ならびに図３〜図５；図６；図８以下の実施例によれば、係止フック装置１２は１つ（図１、図２；図８〜図１４）または２つ（図３〜図６；図１５以下）のばねプレート１３，１３′，１４，２４，２４′から形成される。
【００３１】
図２および図６のばねプレート２４′，２４はプラスチックから成る。その他は、例えばばね金属（例えばばね鋼）から成ることができる金属ばねプレート１３，１３′，１４が使用される。プラスチックから成るばねプレートは、金属プレートとは異なる形式でアダプタハウジングに、特に受容穴なしに、例えば軸方向の係止運動／係止装置または軸方向および半径方向の係止運動／係止装置により係止されることもできる。
【００３２】
これらのばねプレート１３，１３′，１４（例えば図３および図４または図１５参照）はそれぞれ組付け室１１ａ，ｂの切欠き３７内に装入可能、特に押込み可能である。
【００３３】
ばねプレートはそれぞれ１つの受容穴１５を有している。受容穴１５は、アダプタ・ソケットハウジングに設けられた係止突起１８にばねプレートを係止するために役立ち、より詳細に言えば、摺動エッジ／スリット２０（例えば図８および図９参照）と協働して係止するために役立つ。摺動エッジ／スリット２０の下側には、係止突起１８が受容穴１５に係入するまで、ばねプレート１３，１３′，１４の縁部領域が挿入可能である。この種の組立ては簡単かつ確実である。ばねプレートの係止の択一的な構成は、特にこれがプラスチックから製作されていても可能である。
【００３４】
ばねプレート１３，１３′，１４に設けられた斜めのエッジ１９（図４）は、プラグ部分３４およびソケット部分２１の挿入を容易にする。
【００３５】
ばねプレート１３，１３′，１４の、打抜かれて曲げられた突起１７は、装入したいプラグ部分３４またはソケット部分２１を係止するための本来の係止フック２２，２２′として役立つ。
【００３６】
ばねプレート１３，１３′，１４は鋼薄板から成ることができる。
【００３７】
択一的には、ばねプレートが別の金属または場合によりそれどころかプラスチックから成っていてもよい。
【００３８】
金属係止フックは特に丈夫であり、何度も使用可能である。ばねプレート１３，１３′，１４はそれに加えて簡単に打抜き／曲げ部分として製作され、簡単に取り付けられる。
【００３９】
係止フック２３，２３′がプラスチックから形成される場合、アダプタ・ソケットハウジング２の内部に固定、特に係止されるばねプレート２４，２４′はプラスチックから形成されることができる（図２および図６ａ，ｂ）。
【００４０】
係止フック２８，２８′が金属から形成される場合、係止フック２８，２８′は理論的にアダプタ・ソケットハウジング２またはアダプタ・プラグハウジング１の内部に、工具技術的に可能であるのであれば一体成形されていることもできる（図７，図２０）。これらの両バリエーションは図１および図３のバリエーションよりも安価ではあるが、それほど有利ではない。それというのも、金属ハウジング内に設けられるこれらの係止フック２８，２８′は、悪いばね特性を有しているにすぎず、かつ困難にのみ製作可能であるからである。
【００４１】
プラスチックロックばねまたは金属ロックばねを装入し、これを被覆することも可能である（ここでは図示しない）。
【００４２】
アダプタ・プラグハウジング（１）に関して有利な点として言及すべきことは、さらに、種々異なる面にマークを付ける簡単な可能性にある。シールとしてはＯリングシールが使用可能である。それに加えて、マーク２６またはこれに類するものを受容するために適した凹部１６が存在している。
【００４３】
マークのための有利にはスリットを入れられたリング３３を受容するための溝を設けることも可能である。さらに、（２つのうちの）１つのより大きな角落とし部が、組付け室１１ｂ（アダプタ・ソケットハウジング２）もしくは１１ａ（アダプタ・プラグハウジング１）の四隅の一角に形成されていることができる。このような角落とし部は有利には１８０°回り防止として役立つ。
【図面の簡単な説明】
【００４４】
【図１】図１ａは、アダプタ・プラグハウジングに装着される別個の金属ロックフックを備えた金属製のアダプタ・プラグハウジングの斜視図であり、図１ｂは、図１ａに示したアダプタ・プラグハウジングの断面図である。
【図２】図２ａは、アダプタ・プラグハウジングに装着される別個のプラスチックロックフックを備えた、第２の金属製のアダプタ・プラグハウジングの斜視図であり、図２ｂは、図２ａに示したアダプタ・プラグハウジングの断面図である。
【図３】図３ａは、ＲＪ４５ソケット部分と、アダプタ・ソケットハウジングに装着される別個の金属ロックフックとを備えた、第１の金属製のアダプタ・ソケットハウジングの斜視図であり、図３ｂは、図３ａに示したアダプタ・ソケットハウジングの、ソケット部分が装入されていない状態での分解図である。
【図４】図３に示したアダプタ・ソケットハウジングの分解図である。
【図５】図５ａは、図３に示したアダプタ・ソケットハウジングの斜視図であり、図５ｂは、アダプタ・ソケットハウジングの、ソケット部分なしの状態での断面図である。
【図６】図６ａは、アダプタ・ソケットハウジングに装着される別個のプラスチックロックフックを備えた第２の金属製のアダプタ・ソケットハウジングの斜視図であり、図６ｂは、図６ａに示したアダプタ・ソケットハウジングの断面図である。
【図７】図７ａは、アダプタ・ソケットハウジングに一体成形された金属ロックフックを備えた第３の金属製のアダプタ・ソケットハウジングの斜視図であり、図７ｂは、図７ａに示したアダプタ・ソケットハウジングの断面図である。
【図８】図８ａ〜ｅはそれぞれ、アダプタ・プラグハウジングに装着される別個の金属ロックフックを備えた金属製のアダプタ・プラグハウジングを種々異なる見方で示す図である。
【図９】図９ａ〜ｃは、図８に示したアダプタ・プラグハウジングをさらに別の見方で示す図である。
【図１０】図８に示したアダプタ・プラグハウジングの分解図である。
【図１１】アダプタ・プラグハウジングに装着される別個の金属ロックフックを備えたアダプタ・プラグハウジングと、第１のＲＪ４５プラグ部分とを示す図であり、図１１ａは、ＲＪ４５プラグ部分がアダプタ・プラグハウジング内に装入されている状態を示す図であり、図１１ｂは、装入されていない状態を示す図である。
【図１２】アダプタ・プラグハウジングに装着される別個の金属ロックフックを備えたアダプタ・プラグハウジングと、第２のＲＪ４５プラグ部分とを示す図であり、図１２ａは、ＲＪ４５プラグ部分がアダプタ・プラグハウジング内に装入されている状態を示す図であり、図１２ｂは、装入されていない状態を示す図である。
【図１３】アダプタ・プラグハウジングに装着される別個の金属ロックフックを備えたアダプタ・プラグハウジングと、補助フレームを備えたＬＣ−Ｄｕｐｌｅｘプラグ部分とを示す図であり、図１３ａは、ＬＣ−Ｄｕｐｌｅｘプラグ部分がアダプタ・プラグハウジング内に装入されている状態を示す図であり、ｂ）は、装入されていない状態を示す図である。
【図１４】アダプタ・プラグハウジングに装着される別個の金属ロックフックを備えたアダプタ・プラグハウジングと、補助フレームを備えた２ＳＣ−Ｓｉｍｐｌｅｘインサートとを示す図であり、図１４ａは、２ＳＣ−Ｓｉｍｐｌｅｘインサートがアダプタ・プラグハウジング内に装入されている状態を示す図であり、図１４ｂは、装入されていない状態を示す図である。
【図１５】図５ｂの拡大図である。
【図１６】図１６ａ〜ｅはそれぞれ、図５に示したアダプタ・ソケット部分を、別個の鋼ばねの有無の状態で、種々異なる見方で示す図である。
【図１７】アダプタ・ソケットハウジングに装着される別個の金属ロックフックを備えたアダプタ・ソケットハウジングと、第２のＲＪ４５ソケット部分とを示す図であり、図１７ａは、ＲＪ４５ソケット部分がアダプタ・ソケットハウジング内に装入されている状態を示す図であり、図１７ｂは、装入されていない状態を示す図である。
【図１８】アダプタ・ソケットハウジングに装着される別個の金属ロックフックを備えたアダプタ・ソケットハウジングと、補助フレームを備えたＬＣ−Ｄｕｐｌｅｘソケット部分とを示す図であり、図１８ａは、ＬＣ−Ｄｕｐｌｅｘソケット部分がアダプタ・ソケットハウジング内に装入されている状態を示す図であり、図１８ｂは、装入されていない状態を示す図である。
【図１９】アダプタ・ソケットハウジングに装着される別個の金属ロックフックを備えたアダプタ・ソケットハウジングと、２ＳＣソケット部分とを示す図であり、図１９ａは、２ＳＣソケット部分がアダプタ・ソケットハウジング内に装入されている状態を示す図であり、図１９ｂは、装入されていない状態を示す図である。
【図２０】図２０ａは、一体成形された金属製のロックフックを備えた金属製のアダプタ・プラグハウジングの斜視図であり、図２０ｂは、図２０ａに示したアダプタ・プラグハウジングの断面図である。
【符号の説明】
【００４５】
１  アダプタ・プラグハウジング
２  アダプタ・ソケットハウジング
３  ピン
４  係止溝
５  フランジ区分
６  固定穴
７  ハウジング区分
８  雄ねじ山
９  ナット
１０  シールリング
１１ａ，１１ｂ  組付け室
１２  係止フック装置
１３，１３′  ばね
１４  ばね
１５  受容穴
１６  凹部
１７  突起
１８  係止突起
１９  エッジ
２０  摺動エッジ／スリット
２１，２１ａ〜ｄ  ソケット部分
２２，２２′  係止フック
２３，２３′  係止フック
２４，２４′  ばねプレート
２５  ロックスリーブ
２６  マーク
２７  シールエレメント
２８，２８′  係止フック
２９  保護エレメント
３０  屈曲防止ブッシング
３３  リング
３４，３４ａ〜ｄ  プラグ部分
３５，３６，３８，３９  補助フレーム
３７  切欠き
【図１】
2007294456.tif 000003
【図２】
2007294456.tif 000004
【図３】
2007294456.tif 000005
【図４】
2007294456.tif 000006
【図５】
2007294456.tif 000007
【図６】
2007294456.tif 000008
【図７】
2007294456.tif 000009
【図８】
2007294456.tif 000010
【図９】
2007294456.tif 000011
【図１０】
2007294456.tif 000012
【図１１】
2007294456.tif 000013
【図１２】
2007294456.tif 000014
【図１３】
2007294456.tif 000015
【図１４】
2007294456.tif 000016
【図１５】
2007294456.tif 000017
【図１６】
2007294456.tif 000018
【図１７】
2007294456.tif 000019
【図１８】
2007294456.tif 000020
【図１９】
2007294456.tif 000021
【図２０】
2007294456.tif 000022